【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
光学的な外部劣化効果に対する改良された耐性を有する、１つまたは複数の合成光学画像を表示するシステムであって、
（ａ）１つまたは複数の画像アイコンの配列と、
（ｂ）１つまたは複数の部分的または全体的に埋め込まれた画像アイコン集光要素の配列と、を備え、
前記１つまたは複数の画像アイコン集光要素の配列は、前記画像アイコン集光要素の少なくとも一部が少なくとも前記画像アイコンの一部の少なくとも１つの合成画像を形成するように、前記１つまたは複数の画像アイコン配列に対して配置されている、システム。
【請求項２】
前記画像アイコン集光要素は、焦点距離を有する屈折性の集光要素であり、前記システムは外部表面から屈折界面まで、第１の屈折率と第２の屈折率との間を変化する屈折率を有し、前記第１の屈折率は実質的または測定可能な程度に前記第２の屈折率とは異なり、
任意的に前記第１の屈折率と前記第２の屈折率の違いが、前記集光要素の前記焦点距離を少なくとも約０．１μｍだけ変化させ、
又は、
（ａ）画像アイコンのアレイと、
（ｂ）屈折率（ｎ１）を有する第１の材料からなる画像アイコン集光要素のアレイと、
（ｃ）異なる屈折率（ｎ２）を有して前記集光要素同士の隙間を充填し及び／又は前記集光要素を覆い、前記第１の材料との間に明確な界面を有する第２の材料と、を備え、前記第２の材料が前記画像アイコン集光要素のアレイを埋め込み、前記第２の材料が前記画像アイコンアレイの外部境界または外部層を形成し、それにより、前記画像アイコンアレイをも埋め込み、
又は、
（ａ）画像アイコンのアレイと、
（ｂ）屈折率（ｎ１）を有する第１の材料と、異なる屈折率（ｎ２）を有する第２の材料とから形成される画像アイコン集光要素のアレイとを備え、
前記第２の材料が前記第１の材料中に拡散して前記第１の材料と傾斜界面を形成する、請求項１に記載のシステム。
【請求項３】
前記集光要素は、集束レンズと発散レンズからなる群から選択され、
又は、
前記第１の材料は、屈折率が１．７より大きい、高屈折率の、着色または無色の材料であり、
又は、
前記第２の材料は、屈折率が１．７より大きい、高屈折率の、着色または無色の材料であり、
又は、  
前記第１の材料は、約１．５〜約１．８の範囲の屈折率を有し、
任意的に前記第１の材料は、ウレタンアクリレート、エポキシアクリレート、およびアクリルオリゴマーからなる群から選択され、
又は、
任意的に前記第１の材料は、約１．５４９〜約１．５６の範囲の屈折率を有し、
任意的に前記第１の材料は変性エポキシアクリレートであり、
任意的に前記第２の材料は、約１．３５〜約１．４９の範囲の屈折率を有し
任意的に前記第２の材料は、ウレタンアクリレート及びアクリレートモノマーからなる群から選択され、
任意的に前記第２の材料は、約１．４４〜約１．４５の範囲の屈折率を有し、
任意的に前記第２の材料はイソデシルアクリレートであり、
又は、
前記第２の材料は透明または半透明の接着剤である、
請求項２に記載のシステム。
【請求項４】
前記１つまたは複数の部分的または全面的に埋め込まれた画像アイコン集光要素の配列は、円柱レンズ、非円柱レンズおよびそれらの組合せからなる群から選択され、
任意的に前記１つまたは複数の部分的または全面的に埋め込まれた画像アイコン集光要素は円柱レンズを備え、
又は、
任意的に前記１つまたは複数の部分的または全面的に埋め込まれた画像アイコン集光要素は非円柱レンズを備え、
又は、
任意的に前記レンズは球面または非球面を有し、
又は、
任意的に前記レンズは、幅またはベース直径が約１ｍｍ以下であり、
任意的に前記レンズは、幅またはベース直径が約２００μｍ〜約５００μｍの範囲にあり、
任意的に前記レンズは、幅またはベース直径が約５０μｍ〜約１９９μｍの範囲にあり、
任意的に前記レンズは、幅またはベース直径が約５０μｍ未満である、
請求項１に記載のシステム。
【請求項５】
前記システムは、厚さが約１ｍｍ以下であり、
任意的に前記システムは、厚さが約２００μｍ〜約５００μｍの範囲にあり、
任意的に前記システムは、厚さが約５０μｍ〜約１９９μｍの範囲にあり、
任意的に前記システムは、厚さが約５０μｍ未満である、
請求項１又は請求項４に記載のシステム。
【請求項６】
請求項１又は請求項２に記載の１つまたは複数の合成光学画像を表示するためのシステムからつくられるシート材料であり、
任意的に前記シート材料は、後で印刷または個人専用化処理をするための基板、セキュリティ文書用のシート材料、および身分証明書とセキュリティ文書用のベースプラットフォームからなる群から選択され、  
任意的に前記シート材料は、セキュリティ文書用のシート材料であり、
任意的に前記シート材料は、身分証明書とセキュリティ文書用のベースプラットフォームである、
シート材料。
【請求項７】
前記シート材料は、厚さが約１ｍｍ以下であり、
任意的に前記シート材料は約２００μｍ〜約５００μｍの範囲の厚さを有し、
任意的に前記シート材料は約５０μｍ〜約１９９μｍの範囲の厚さを有し、
任意的に前記シート材料は約５０μｍ未満の厚さを有する、
請求項６に記載のシート材料。
【請求項８】
請求項２に記載の１つまたは複数の合成光学画像を表示するためのシステムからつくられるベースプラットフォームであって、
任意的に前記第１の材料は、約１．３５〜約１．４９の範囲の屈折率を有し、
任意的に前記第１の材料は、ウレタンアクリル及びアクリルモノマーからなる群から選択され、
又は、
任意的に前記第２の材料は、約１．５〜約１．８の範囲の屈折率を有し、
任意的に前記第２の材料は、エポキシアクリレート、ポリエステルオリゴマー、芳香族炭酸塩ポリマー、脂肪族炭酸塩ポリマーの群から選択され、
任意的に前記第２の材料は、約１．５８４〜約１．６８５の範囲の屈折率を有し、
任意的に前記第２の材料はポリカーボネートであり、
又は、
任意的に前記第２の材料は透明または半透明の接着剤である、
ベースプラットフォーム。
【請求項９】
前記第１の材料は、約１．４４９〜約１．４６の範囲の屈折率を有し、
任意的に前記第１の材料は、トリプロピレングリコールジアクリレートである、
請求項８に記載のベースプラットフォーム。
【請求項１０】
請求項１又は請求項２に記載の１つまたは複数の合成光学画像を表示するためのシステムからつくられるセキュリティデバイスであり、
任意的にシート材料の表面上に組み込むか、またはシート材料の中に少なくとも部分的に埋め込むための、セキュリティストリップ、スレッド、パッチ、およびオーバレイからなる群から選択される、
セキュリティデバイス。
【請求項１１】
前記セキュリティデバイスは約５０μｍ未満の厚さを有し、
任意的に前記セキュリティデバイスは約４５μｍ未満の厚さを有し、
任意的に前記セキュリティデバイスは約１０μｍ〜約４０μｍの厚さを有する、
請求項１０に記載のセキュリティデバイス。
【請求項１２】
反対面を有し、かつ前記シート材料の表面に組込まれるか、または少なくとも部分的に埋め込まれた、請求項１０に記載の少なくとも１つのセキュリティデバイスを備える、シート材料。
【請求項１３】
請求項１２に記載のシート材料で作られた文書であり、
任意的に前記文書は、紙幣、パスポート、身分証明書、クレジットカード、及びラベルからなる群から選択され、
任意的に前記文書は、紙幣からなる、
文書。
【請求項１４】
前記レンズは、幅またはベース直径が約４５μｍ未満であり、
任意的に前記レンズは、幅またはベース直径が約１０μｍ〜約４０μｍの範囲にある、
請求項４に記載のシステム。
【請求項１５】
画像アイコンと画像アイコン集光要素の配置間の光学的分離は、光学スペーサを利用して実現され、
任意的に前記光学スペーサは、ポリカーボネート、ポリエステル、ポリエチレン、ポリエチレンナフタレート、ポリエチレンテレフタレート、ポリプロピレン、ポリビニリデンクロライド、およびそれらの組合せからなる群から選択される材料を用いて形成される、
請求項１に記載のシステム。